(57)【要約】【課題】使い勝手のよいカウンター装置を提供する。【解決手段】物品載置部と、物品載置部上に設けられ、浴室用物品を載置可能な被取付部１６とを有する浴室カウンター１１と、被取付部１６上に脱着可能に取り付けられる着座部材１３と、を備え、着座部材１３の下面には係合部２５が形成され、被取付部１６の上面には着座部材１３の下方において、該係合部２５との係合により着座部材１３の位置を保持する位置保持部２７が形成される。被取付部１６上に着座部材１３を取り付けた場合には位置保持部２７と係合部２５の係合により着座部材１３の落下を防止できる。また、被取付部１６上から着座部材１３を取り外した場合には物品と位置保持部２７の係合により物品の落下を防止できる。【選択図】図５
2015228998.tif 000002
【特許請求の範囲】
【請求項１】
物品載置部と、前記物品載置部に設けられ、浴室用物品を載置可能な被取付部とを有する浴室カウンターと、
前記被取付部上に脱着可能に取り付けられる着座部材と、を備え、
前記着座部材の下面には係合部が形成され、
前記被取付部の上面には前記着座部材の下方において、該係合部との係合により前記着座部材の位置を保持する位置保持部が形成されることを特徴とするカウンター装置。
【請求項２】
前記係合部は、前記着座部材の下面に形成される窪み部であり、
前記位置保持部は、前記被取付部の上面に形成される突起部であることを特徴とする請求項１に記載のカウンター装置。
【請求項３】
前記被取付部は、前記物品載置部に形成される凹部であることを特徴とする請求項１または２に記載のカウンター装置。
【請求項４】
前記凹部の側面は、その側端に向かうにつれて上方に傾斜するように形成され、
前記凹部の側面と対向する前記着座部材の側面は、その側端に向かうにつれて上方に傾斜するように形成されることを特徴とする請求項３に記載のカウンター装置。
【請求項５】
前記被取付部は、浴室内に設置されるスパウトから吐き出される水が着水可能な位置に設けられることを特徴とする請求項１から４のいずれかに記載のカウンター装置。
【請求項６】
前記位置保持部は、前記浴室カウンターの横幅方向に延びる突条部であることを特徴とする請求項１から５のいずれかに記載のカウンター装置。
【請求項７】
前記着座部材の下面には、前記被取付部との接触面に働く摩擦抵抗により、該着座部材の滑りを防止するための滑り止め部が設けられることを特徴とする請求項１から６のいずれかに記載のカウンター装置。
【請求項８】
前記着座部材の下面には下方に向けて突き出る突設部が設けられ、
前記滑り止め部は前記突設部の下面に設けられることを特徴とする請求項７に記載のカウンター装置。
【請求項９】
前記着座部材の内部には、該着座部材上に加わる荷重を前記滑り止め部に伝達する荷重伝達部材が埋設されることを特徴とする請求項７または８に記載のカウンター装置。
【請求項１０】
請求項１〜９のいずれかに記載のカウンター装置を備えることを特徴とする浴室ユニット。
【発明の詳細な説明】
【技術分野】
【０００１】
本発明は、浴室に用いられるカウンター装置及びこれを備える浴室ユニットに関する。
【背景技術】
【０００２】
従来より、浴室内に浴室カウンターを設けた浴室ユニットが知られる。ユーザは、洗面器やシャンプーボトル等の浴室用物品を浴室カウンターに載せた状態で、身体を洗う、髪を洗う等（以下、単に洗体という）の動作をできる。
【０００３】
この種の浴室カウンターとして、近年、ユーザが座れるように横幅寸法や奥行寸法を調整したものが提案されている（例えば、特許文献１参照）。ユーザは、洗体時に浴室カウンターに座った状態で動作でき、風呂いすや床面に座った状態よりもゆったりとした姿勢をとれる。
【先行技術文献】
【特許文献】
【０００４】
【特許文献１】特開２００１−１３７１４７号公報
【発明の概要】
【発明が解決しようとする課題】
【０００５】
特許文献１の浴室ユニットでは、浴室カウンターに座る場合を前提として工夫されているが、その着座箇所に物品を載せる場合は何ら考慮されておらず、さらに使い勝手をよくするうえで改善の余地がある。
【０００６】
本発明は、このような課題に鑑みてなされ、その目的は、使い勝手のよいカウンター装置を提供することにある。
【課題を解決するための手段】
【０００７】
上記課題を解決するための、本発明のある態様はカウンター装置に関する。カウンター装置は、物品載置部と、物品載置部に設けられ、浴室用物品を載置可能な被取付部とを有する浴室カウンターと、被取付部上に脱着可能に取り付けられる着座部材と、を備え、着座部材の下面には係合部が形成され、被取付部の上面には着座部材の下方において、該係合部との係合により着座部材の位置を保持する位置保持部が形成される。
この態様によると、被取付部上に着座部材を取り付けた場合には位置保持部と係合部の係合により着座部材の落下を防止できる。また、被取付部上から着座部材を取り外した場合には物品と位置保持部の係合により物品の落下を防止できる。よって、被取付部に座る場合と、被取付部に物品を載せる場合との何れの場合でも使い勝手がよくなる。
【０００８】
係合部は着座部材の下面に形成される窪み部であり、位置保持部は被取付部の上面に形成される突起部であってもよい。
【０００９】
被取付部は物品載置部に形成される凹部であってもよい。
この態様によると、被取付部の位置をユーザが視認し易くなり、着座部材の取り付け作業が容易になる。
【００１０】
凹部の側面は、その側端に向かうにつれて上方に傾斜するように形成され、凹部の側面と対向する着座部材の側面は、その側端に向かうにつれて上方に傾斜するように形成されてもよい。
この態様によると、被取付部に着座部材を取り付けたとき、これらの隙間の底側がユーザから見え難くなり、隙間の底側と入口側との間での明暗が目立ち難くなる。よって、この隙間が目立ち難くなり、意匠性が良好となる。
【００１１】
被取付部は、浴室内に設置されるスパウトから吐き出される水が着水可能な位置に形成されてもよい。
この態様によると、被取付部上を物品載せスペースとして用いるとき、その上に洗面器を置いたまま水を汲むことができ、使い勝手がよりよくなる。
【００１２】
位置保持部は、浴室カウンターの横幅方向に延びる突条部であってもよい。
この態様によると、突条部により流水が堰き止められるため、浴室カウンターの手前側にて浴室カウンターの前端部と床面との間に流水の落下を防止できる領域が設けられる。この領域に身体の一部を入れておけば、その一部への流水の落下を防止でき、洗体時に不快になるのを抑えられる。
【００１３】
着座部材の下面には、浴室カウンターとの接触面に働く摩擦抵抗により、該着座部材の滑りを防止するための滑り止め部が設けられてもよい。
この態様によると、ユーザが着座部材上に座るとき、被取付部に対する着座部材の位置ずれを滑り止め部により抑えられる。
【００１４】
着座部材の下面には下方に向けて突き出る突設部が設けられ、滑り止め部は突設部の下面に設けられてもよい。
この態様によると、突設部が設けられない場合より、被取付部に滑り止め部を接触させ易くなり、着座部材の位置ずれを安定して抑え易くなる。
【００１５】
着座部材の内部には該着座部材上に加わる荷重を複数の滑り止め部に伝達する荷重伝達部材が埋設されてもよい。
この態様によると、ユーザの着座部材への着座位置に偏りがある場合でも、ユーザの荷重を荷重伝達部材を通して滑り止め部に伝達でき、着座部材への局所的な荷重集中を抑え易くなる。
【００１６】
本発明の他の態様は浴室ユニットに関する。浴室ユニットは、上述の態様に係るカウンター装置を備える。
【発明の効果】
【００１７】
本発明によれば、使い勝手のよいカウンター装置が得られる。
【図面の簡単な説明】
【００１８】
【図１】実施形態に係るカウンター装置が用いられる浴室ユニットを示す平面図である。
【図２】実施形態に係るカウンター装置を示す斜視図である。
【図３】実施形態に係る浴室カウンターから着座部材を取り外した状態を示す平面図である。
【図４】実施形態に係る浴室カウンターに着座部材を取り付けた状態を示す平面図である。
【図５】実施形態に係るカウンター装置の一部の側面断面図である。
【図６】図６（ａ）は実施形態に係る突条部の中央部の側面断面図を示し、図６（ｂ）はその端部の側面断面図を示す。
【図７】実施形態に係るカウンター装置の一部の正面断面図である。
【図８】図８（ａ）は実施形態に係る着座部材の側面断面図を示し、図８（ｂ）は図８（ａ）のＤ部の拡大図を示す。
【図９】実施形態に係る着座部材の底面図を示す。
【図１０】図１０（ａ）は実施形態に係る被取付部上から着座部材を取り外したときの使用状態を示す平面図であり、図１０（ｂ）は被取付部上に着座部材を取り付けたときの使用状態を示す平面図である。
【発明を実施するための形態】
【００１９】
図１は実施形態に係るカウンター装置１０が用いられる浴室ユニット１００を示す平面図である。浴室ユニット１００は、浴槽１１０と、カウンター装置１０と、水栓１２０とを備え、これらは浴室１３０内に配設される。
【００２０】
図２はカウンター装置１０を示す斜視図である。カウンター装置１０は、浴室カウンター１１と、着座部材１３を備える。浴室カウンター１１は、浴室１３０を区画する第１壁面１３１から手前側に突き出るように配設される。浴室カウンター１１は横幅方向Ｘに延びるように板状に形成される。
【００２１】
浴室カウンター１１の横幅方向Ｘの一端部１１ａは第１壁面１３１に隣接する第２壁面１３３に繋がるように設けられる。浴室カウンター１１は、浴室１３０を区画する床面１３５から間隔を空けて配設される。浴室カウンター１１は、後述する被取付部１６に着座部材１３を取り付けた状態で着座部材１３上にユーザが座るとき、床面１３５上に足が着くように床面１３５からの高さが定められる。
【００２２】
なお、浴室カウンター１１の横幅方向Ｘの他端部１１ｂは、図１に示すように、浴槽１１０に繋がるように設けられる。また、第２壁面１３３にはシャワー装置のシャワーヘッド１５０が脱着自在に取り付けられる。
【００２３】
図２に戻り、水栓１２０は浴室カウンター１１の横幅方向Ｘの一端部１１ａに設置される。水栓１２０は、スパウト１２１と、複数の吐水操作部１２３を備える。スパウト１２１は第１壁面１３１と第２壁面１３３のコーナー部１３７の近傍に設置される。スパウト１２１は、浴室カウンター１１から起立するように取り付けられ、その先端部１２１ａには吐水口１２５が形成される。各吐水操作部１２３はスパウト１２１より手前側に配設される。吐水操作部１２３には、スパウト１２１やシャワーヘッド１５０からの吐水の有無を切り替えるための切替操作部１２３Ａと、スパウト１２１等から吐き出される水の温度を調整するための水温操作部１２３Ｂが含まれる。
【００２４】
図３は浴室カウンター１１から着座部材１３を取り外した状態を示す平面図である。スパウト１２１は、その基端部１２１ｂを通る中心軸線Ｑ１周りに回転可能に設けられる。スパウト１２１は、中心軸線Ｑ１周りの回転により、後述する被取付部１６に吐水口１２５が臨む吐水位置と、被取付部１６以外の方向に吐水口１２５が臨む収納位置の間を移動可能である。本図では吐水位置にある状態を実線で示し、収納位置にある状態を二点鎖線で示す。
【００２５】
浴室カウンター１１は、物品載置部１５と、被取付部１６とを有する。物品載置部１５は、浴室カウンター１１の上面に形成される。物品載置部１５は、洗面器、シャンプーボトル等の浴室用物品を載せるための領域として設けられる。
【００２６】
被取付部１６は物品載置部１５上に設けられる。被取付部１６は物品載置部１５上に形成される凹部１７により構成される。被取付部１６も、着座部材１３を取り外したときに、浴室用物品を載せるための領域として設けられる。被取付部１６は、浴室用物品、より詳細には、少なくとも洗面器を載置可能な大きさに形成される。被取付部１６はスパウト１２１の吐水口１２５の下方であって、スパウト１２１から吐き出される水が着水可能な位置に形成される。
【００２７】
図４は浴室カウンター１１に着座部材１３を取り付けた状態を示す平面図である。着座部材１３は弾性を有する扁平なクッション体により構成される。着座部材１３は、ポリエチレン等の樹脂材料を素材としており、その素材を用いた熱圧成形等により得られる。着座部材１３は被取付部１６上に脱着自在に載せられるが、少なくとも脱着可能に取り付けられていればよい。着座部材１３は、被取付部１６上に取り付けられたとき、平面視において、凹部１７内に収まるように嵌め込まれる。
【００２８】
図５はカウンター装置１０の一部の側面断面図である。本図は図４のＡ−Ａ線断面図でもある。着座部材１３の下面には前部寄りの位置に係合部２５が形成される。係合部２５は着座部材１３の下面にて上方に凹むように形成される窪み部により構成される。被取付部１６の上面には係合部２５の下方に位置保持部２７が形成される。位置保持部２７は被取付部１６の上面にて上方に突き出るように形成される突起部としての突条部２９により構成される。
【００２９】
着座部材１３は、浴室カウンター１１の突起部としての位置保持部２７が、窪み部としての係合部２５内に嵌め合うように配置される。着座部材１３が浴室カウンター１１から位置ずれしようとしたとき、位置保持部２７と係合部２５との係合により着座部材１３の位置が保持され、着座部材１３の手前側への落下を防止できる。
【００３０】
凹部１７には、図３に示すように、浴室カウンター１１の横幅方向Ｘ両側と、浴室カウンター１１の奥側とにおいて、その底側の底面１９から立ち上がる側面２１が形成される。また、凹部１７の底面１９は、その手前側の前側端縁２３が、浴室カウンター１１の側面である前面１１ｄに連なる位置まで形成される。また、被取付部１６は、凹部１７の底面１９が、浴室カウンター１１の奥側から手前側に向かうにつれて下方に向かうように傾斜して形成される。
【００３１】
突条部２９は浴室カウンター１１の横幅方向Ｘに延びるように形成される。突条部２９は、浴室カウンター１１の奥側にある後面２９ａが、その長手方向の中央部２９ｃから長手方向の両端部２９ｄに向かうにつれて、浴室カウンター１１の手前側に向かうように傾斜して形成される。
【００３２】
被取付部１６上の水は、凹部１７の底面１９の傾斜により方向Ｐ１に向けて流れ、凹部１７の手前側にある前側端縁２３まで流れる。このとき、突条部２９より奥側から流れた水は、突条部２９により堰き止められ、その後面２９ａの傾斜により長手方向の両端部２９ｄがある方向Ｐ２に向けて流れ、そこから凹部１７の前側端縁２３まで流れる。凹部１７の前側端縁２３まで流れた水は、そこから手前側に流れ落ち、被取付部１６上の水が排水される。
【００３３】
このとき、突条部２９により流水が堰き止められるため、突条部２９より手前側にて浴室カウンター１１の前端部１１ｃと床面１３５との間に、浴室カウンター１１からの流水の落下を防止できる流水落下防止領域３１が設けられる。ユーザが浴室カウンター１１の下側に足等を入れて洗体するとき、かりに、浴室カウンター１１から落下する流水が足等の身体の一部に当たるとユーザによっては不快になり易い。この点、本実施形態によれば、その流水落下防止領域３１に身体の一部を入れておけば、その一部への流水の落下を防止でき、洗体時に不快になるのを抑えられる。
【００３４】
位置保持部２７は、図５に示すように、浴室カウンター１１の前端部１１ｃから奥側にずれた位置に設けられる。被取付部１６上には、浴室カウンター１１の前端部１１ｃから位置保持部２７の間にかけての範囲Ｓ１を少なくとも含むように着座部材１３が取り付けられる。かりに、位置保持部２７が浴室カウンター１１の前端部１１ｃに設けられていると、被取付部１６から着座部材１３が奥側（図中右側）に位置ずれしたときに、位置保持部２７が露出する恐れがある。このとき、ユーザの太ももの裏側が、着座部材１３ではなく突条部２９に直接に載ると座り心地を損ないかねない。この点、本実施形態によれば、その位置ずれが生じても着座部材１３により位置保持部２７が覆われたままとなり、位置ずれしたときの座り心地の低下を抑えられる。
【００３５】
図６（ａ）、（ｂ）はそれぞれ、突条部２９の長手方向の中央部２９ｃと端部２９ｄでの側面断面図を示す。図６（ａ）、（ｂ）はそれぞれ、図４のＢ−Ｂ線断面図、Ｃ−Ｃ線断面図から着座部材１３を省略した図でもある。
【００３６】
突条部２９は、その長手方向に直交する断面形状が、突条部２９に対して奥行方向Ｙ両側にある被取付部１６の一対の表面部分１９ａを滑らかに連ねるように曲線状に形成される。突条部２９は、その断面形状が長手方向の全長に亘る範囲で曲線状に形成される。これにより、突条部２９上に付着する水が自重により移動し易くなり、突条部２９上に水が残り難くなり、衛生性が良好になる。
【００３７】
突条部２９は、その後面２９ａの方が、浴室カウンター１１の手前側にある前面２９ｂよりも、水平面に対する勾配が大きくなるように形成される。これにより、突条部２９の後面２９ａで効果的に水を堰き止め易くなる。また、被取付部１６上に着座部材１３を取り付けたとき、突条部２９の前面２９ｂの広い範囲で着座部材１３を支持できる。着座部材１３がクッション体により構成される場合、突条部２９の支持範囲が狭いと、ユーザが着座部材１３上に座るときに、突条部２９上の身体部位に反力が集中して圧迫され易く、座り心地を損ないかねない。この点、本実施形態によれば、ユーザが着座部材１３上に座るときに突条部２９上の身体部位に反力が分散して伝わり、座り心地がよくなる。
【００３８】
また、突条部２９は、その中央部２９ｃの突出高さＨ１よりも両端部２９ｄの突出高さＨ２の方が小さくなるように形成される。着座部材１３上にユーザが座るとき、突条部２９の両端部２９ｄ側にユーザの両足が載せられる場合が想定される。この場合に、突条部２９の両端部２９ｄの突出高さＨ２が小さければ、ユーザと突条部２９の間での着座部材１３の素材量を多くでき、突条部２９から加わる反力を着座部材１３により分散し易くなり、座り心地がよくなる。
【００３９】
図７はカウンター装置１０の一部の正面断面図である。本図は図４のＤ−Ｄ線断面図でもある。被取付部１６の側面２１は、その側端２１ａに向かうにつれて上方に傾斜するように形成される。また、被取付部１６の側面２１と対向する着座部材１３の側面３３は、その側端３３ａに向かうにつれて上方に傾斜するように形成される。この着座部材１３の側面３３は、被取付部１６の側面２１の上方に位置し、その側面２１の底側を覆うように設けられる。なお、本図では、図３の横幅方向Ｘの一方の側面２１のみ図示したが、他方の側面２１や奥側の側面２１も同様である。
【００４０】
これにより、被取付部１６に着座部材１３を取り付けたとき、これらの間の隙間３５の底側がユーザから見え難くなり、隙間３５の底側と入口側との間での明暗が目立ち難くなる。よって、この隙間３５が目立ち難くなり、意匠性が良好となる。また、被取付部１６に着座部材１３を取り付けるとき、被取付部１６の側面２１と着座部材１３の側面３３の接触により着座部材１３が凹部１７の中央位置に寄るように案内され、その取り付けが容易になる。
【００４１】
図８（ａ）は着座部材１３の側面断面図を示し、図８（ｂ）は（ａ）のＥ部の拡大図を示す。着座部材１３の下面には下方に向けて膨らみ出るように突き出る裁頭円錐状の突設部３７が複数設けられる。着座部材１３の下面である突設部３７の下面には滑り止め部３９が設けられる。滑り止め部３９はＡＢＳ系弾性樹脂等の摩擦係数の大きいずれ止め材により構成され、突設部３７の下面に接着等により取り付けられる。着座部材１３は、被取付部１６の上面に滑り止め部３９が接触した状態でこれに取り付けられる。滑り止め部３９は、被取付部１６との接触面に働く摩擦抵抗により、着座部材１３の滑りを防止するために設けられる。
【００４２】
図９は着座部材１３の底面図を示す。滑り止め部３９は、着座部材１３の横幅方向Ｘの両側に位置するように複数設けられる。また、滑り止め部３９は、着座部材１３の奥行方向Ｙの両側に位置するように複数設けられる。
【００４３】
ユーザが着座部材１３上に座るとき、被取付部１６に対する着座部材１３の位置ずれを滑り止め部３９により抑えられる。また、被取付部１６ではなく着座部材１３に滑り止め部３９が設けられるため、被取付部１６に洗面器等の物品を載せるときに、その使い勝手に悪影響を及ぼさない。また、着座部材１３の脱着が阻害されない利点もある。
【００４４】
特に、ずれ止め部３９は突設部３７の下面に設けられるため、突設部３７を設けない場合より、被取付部１６にずれ止め部３９を接触させ易くなり、着座部材１３の位置ずれを安定して抑え易くなる。また、着座部材１３にずれ止め材を取り付けるとき、突設部３７の位置を目印にずれ止め材を取り付けれるため、取り付け作業が容易になる。
【００４５】
着座部材１３の内部には、図８、図９に示すように、荷重伝達部材４１が埋設される。荷重伝達部材４１はステンレス等の着座部材１３より硬質な板材により構成される。荷重伝達部材４１は各ずれ止め部３９の上方に位置するように配置される。荷重伝達部材４１は、着座部材１３上にユーザが着座したときに、その上に加わる荷重を受けて各ずれ止め部３９に伝達する。これにより、着座部材１３がクッション体により構成されても、その全体の形状を硬質な荷重伝達部材４１により保持できる。また、ユーザの着座部材１３への着座位置に偏りがある場合でも、ユーザの荷重を荷重伝達部材４１を通して各ずれ止め部３９に分散して伝達でき、着座部材１３への局所的な荷重集中を抑え易くなる。
【００４６】
以上のカウンター装置１０の作用効果を説明する。被取付部１６上から着座部材１３を取り外したときには、図１０（ａ）に示すように、被取付部１６上に洗面器１６０等の物品を載せられる。このときは風呂いす１７０に座る等した状態で、洗面器１６０に貯めた水を用いて洗体できる。また、このときはスパウト１２１を吐水位置に移動させて、スパウト１２１の吐水口１２５から吐き出される水が洗面器１６０に届くようにする。
【００４７】
浴室カウンター１１の被取付部１６上に着座部材１３を取り付けたときには、図１０（ｂ）に示すように、着座部材１３にユーザが座れる。風呂いすに座る場合のように前屈みの姿勢にせずともよくなるため、ゆったりとした姿勢で洗体できる。このときはスパウト１２１を収納位置に移動させて、着座部材１３に座るユーザに当たらないようにする。
【００４８】
このように、浴室カウンター１１の被取付部１６上に着座部材１３が脱着可能に取り付けられるため、被取付部１６上を物品載せスペースと着座スペースとして兼用できる。よって、浴室カウンター１１の横幅寸法が狭い場合でも、物品載せスペースと着座スペースの両方に十分なスペースを確保できる。
【００４９】
また、被取付部１６上には位置保持部２７が設けられるため、着座部材１３を取り付けた場合には着座部材１３の落下を防止できる。また、着座部材１３を取り外した場合には物品と位置保持部２７の係合により位置を保持し、その落下を防止できる。よって、被取付部１６に座る場合と、被取付部１６に物品を載せる場合との何れの場合でも使い勝手がよくなる。
【００５０】
また、被取付部１６の位置保持部２７上に着座部材１３が設けられるため、着座部材１３は位置保持部２７上に敷かれるように取り付けられる。よって、ユーザは硬質な位置保持部２７上に直接に座らず、クッション体のような軟質な着座部材１３上に座れ、座り心地の低下を抑えられる。
【００５１】
また、被取付部１６は凹部１７により構成されるため、その位置をユーザが視認し易くなり、着座部材１３の取り付け作業が容易になる。また、凹部１７により構成される被取付部１６がスパウト１２１から吐き出される水が着水可能な位置に形成されるため、着座部材１３を被取付部１６に取り付けたときでも、スパウト１２１の吐水口１２５から着座部材１３までの高さを確保し易くなる。よって、被取付部１６に着座部材１３を取り付けたときでも、着座部材１３上に洗面器１６０を載せて使い易くなる。この場合、洗面器と着座部材１３の摩擦により洗面器の落下を防止できる。
【００５２】
また、被取付部１６がスパウト１２１から吐き出される水が着水可能な位置に形成されるため、被取付部１６上を物品載せスペースとして用いるとき、その上に洗面器を置いたまま水を汲むことができ、使い勝手がよりよくなる。
【００５３】
以上、実施の形態に基づき本発明を説明したが、実施の形態は、本発明の原理、応用を示すにすぎない。また、実施の形態には、請求の範囲に規定された本発明の思想を逸脱しない範囲において、多くの変形例や配置の変更が可能である。
【００５４】
浴室カウンター１１は、第２壁面１３３や浴槽１１０に繋がるように設けられたが、その配置態様はこれに限られないし、浴室カウンター１１と床面１３５の間にはカウンターエプロンが取り付けられてもよい。また、スパウト１２１は浴室カウンター１１に設置される例を説明したが、浴室１３０内に設置されていればよく、たとえば、その近傍の壁面１３１、１３３等に設置されてもよい。
【００５５】
着座部材１３は、弾性を有するクッション体により構成される例を説明したが、弾性のない硬質な木材、樹脂材等により構成されてもよい。着座部材１３は扁平に形成される例を説明したが、その形状は特に限られない。
【００５６】
着座部材１３の係合部２５は窪み部により構成され、物品載置部１５の位置保持部２７は突条部２９、つまり、突起部により構成された例を説明したが、係合部２５が突起部により構成され、位置保持部２７が窪み部により構成されてもよい。この場合、窪み部としての位置保持部２７に水が溜まらないように排水路を設けてもよい。また、係合部２５と位置保持部２７のそれぞれが突起部により構成されてもよい。この場合、係合部２５と位置保持部２７は、浴室カウンター１１の横幅方向Ｘ、奥行方向Ｙにずれた位置に横並びとなるように配置されてもよい。いずれの場合も、係合部２５は、着座部材１３の下面に形成され、位置保持部２７は、被取付部１６に取り付けられる着座部材１３の下方にて形成される。
【００５７】
また、係合部２５や位置保持部２７の形状は、上述したものに特に限られない。位置保持部２７は、たとえば、浴室カウンター１１の横幅方向Ｘに間隔を空けて設けられる複数又は単数の突起部により構成されてもよい。
【００５８】
浴室カウンター１１の被取付部１６は凹部１７により構成される例を説明したが、段差のない平坦部により構成されてもよい。また、被取付部１６は、凹部１７により構成される場合、その側面３３の形状は特に限られない。
【００５９】
また、上述の実施形態では、被取付部１６の上面である凹部１７の底面１９に付着した水が、被取付部１６の上面の手前側にある前側端縁２３から排水されるように、その上面に傾斜を設ける例を説明した。被取付部１６は、平坦部、凹部１７等のいずれにより構成される場合でも、その上面の水を前側端縁２３から排水可能となるように、その上面が傾斜して形成されてもよい。このとき、この傾斜勾配は、被取付部１６の奥行方向Ｙの途中位置から前側端縁２３にかけての範囲を少なくとも含むように形成されていてもよい。
【００６０】
ずれ止め部３９はずれ止め材により構成されたが、ずれ止め機能を発揮できればよく、着座部材１３の下面に形成される凹凸により構成されてもよい。また、ずれ止め部３９は着座部材１３の下面に間隔を空けて設けられたが、着座部材１３の下面全体に設けられてもよい。また、ずれ止め材は、摩擦係数が大きい素材であればよく、ＡＢＳ系弾性樹脂の他の弾性樹脂やゴムでもよい。
【符号の説明】
【００６１】
１０…カウンター装置、１１…浴室カウンター、１３…着座部材、１５…物品載置部、１６…被取付部、１７…凹部、２１…側面、２５…係合部、２７…位置保持部、２９…突条部、３３…側面、３７…突設部、３９…ずれ止め部、４１…荷重伝達部材、１００…浴室ユニット、１２１…スパウト。
【図１】
2015228998.tif 000003
【図２】
2015228998.tif 000004
【図３】
2015228998.tif 000005
【図４】
2015228998.tif 000006
【図５】
2015228998.tif 000007
【図６】
2015228998.tif 000008
【図７】
2015228998.tif 000009
【図８】
2015228998.tif 000010
【図９】
2015228998.tif 000011
【図１０】
2015228998.tif 000012